(57)【特許請求の範囲】
【請求項１】
被洗浄消毒物を洗浄消毒する装置本体を具備する内視鏡洗浄消毒装置であって、
前記装置本体に設けられた、前記被洗浄消毒物が収容される洗浄消毒槽と、
前記洗浄消毒槽の収容口を開閉自在な蓋体と、
前記装置本体に設けられた、近付けられた第１の識別タグからユーザに関する第１の識別情報を読み取る第１の読み取り部と、
前記装置本体に設けられた、前記洗浄消毒槽に収容された前記被洗浄消毒物の第２の識別タグから前記被洗浄消毒物に関する第２の識別情報を読み取る第２の読み取り部と、
前記装置本体には、操作パネルと、
前記装置本体に設けられた、前記第１の読み取り部が前記第１の識別情報を読み取った際、前記装置本体の動作状態と、前記蓋体の開閉状態と、前記第２の識別情報の読み取り状態とにおける少なくとも１つの状態に応じて、自動的に前記装置本体の動作と、前記蓋体の開閉とのいずれかの動作を制御する制御部と、
を具備し、
前記制御部は、前記第１の読み取り部が前記第１の識別情報を読み取った際、前記操作パネルの表示切換の動作制御を行い、前記動作制御は、前記装置本体が前記第１の識別タグを読み取るスタンバイ状態で、前記蓋体が開成されているとともに、前記第２の読み取り部が前記第２の識別タグを読み取るスタンバイ状態において行われ、
さらに、前記制御部は、前記第１の読み取り部が前記第１の識別情報を読み取るとともに前記蓋体が閉成されている際、前記蓋体を自動的に開成させる開成動作制御を行うことを特徴とする内視鏡洗浄消毒装置。
【請求項２】
前記制御部による前記蓋体の開成動作制御は、前記装置本体が洗浄消毒工程を完了した工程完了状態で、前記蓋体が閉成されているとともに、前記第２の読み取り部が前記第２の識別タグを読み取り済みの状態において行われることを特徴とする請求項１に記載の内視鏡洗浄消毒装置。
【請求項３】
前記制御部は、前記第１の読み取り部が前記第１の識別情報を読み取った際、前記第１の識別情報毎に洗浄消毒プログラムを設定することと、洗浄消毒工程を自動的に実行することとの少なくとも一方の動作制御を行うことを特徴とする請求項１に記載の内視鏡洗浄消毒装置。
【請求項４】
前記制御部による動作制御は、前記装置本体が前記第１の識別タグを読み取るスタンバイ状態で、前記蓋体が閉成されているとともに、前記第２の読み取り部が前記第２の識別タグを読み取り済みの状態において行われることを特徴とする請求項３に記載の内視鏡洗浄消毒装置。
【請求項５】
前記制御部は、前記第１の読み取り部が前記第１の識別情報を読み取った際、前記装置本体を、該装置本体に設けられた操作パネルの表示照明を消灯する省電力モードから、前記装置本体が前記第１の識別タグを再度読み取るスタンバイ状態に切り換える動作制御を行うことを特徴とする請求項１に記載の内視鏡。
【請求項６】
前記制御部は、さらに、前記第２の読み取り部が前記第２の識別タグを読み取るスタンバイ状態において、前記装置本体が設定時間以上前記第１の識別タグを読み取るスタンバイ状態を継続した際、前記装置本体を、該装置本体に設けられた操作パネルの表示照明を消灯する省電力モードに切り換える動作制御を行うことを特徴とする請求項１に記載の内視鏡。
【請求項７】
前記制御部は、さらに、前記装置本体が前記第１の識別タグを読み取るスタンバイ状態で、前記蓋体が閉成されているとともに、前記第２の読み取り部が前記第２の識別タグを読み取るスタンバイ状態において、前記第１の読み取り部が前記第１の識別情報を読み取った際、前記装置本体に設けられた操作パネルに、前記洗浄消毒槽に前記被洗浄消毒物が収容されていない旨の警告動作制御を行うことを特徴とする請求項１に記載の内視鏡。
【発明の詳細な説明】
【技術分野】
【０００１】
本発明は、被洗浄消毒物を洗浄消毒する装置本体を具備する内視鏡洗浄消毒装置に関する。
【背景技術】
【０００２】
近年、内視鏡は、医療分野及び工業用分野において広く利用されている。医療分野において用いられる内視鏡は、細長い挿入部を体腔内に挿入することによって、体腔内の臓器を観察したり、必要に応じて内視鏡が具備する処置具の挿通チャンネル内に挿入した処置具を用いて各種処置をしたりすることができる。
【０００３】
医療分野の内視鏡は、特に検査及び治療を目的として体腔内に挿入されて使用されるものであるため、使用後、再度使用するためには洗浄消毒が必要となる。この使用済みの内視鏡を洗浄消毒する方法としては、例えば、内視鏡洗浄消毒装置（以下、単に洗浄消毒装置と称す）を用いて行う方法が周知である。
【０００４】
洗浄消毒装置を用いれば、内視鏡は、洗浄消毒装置の洗浄消毒槽内にセットされるのみで、内視鏡に対して、自動的に、洗浄、消毒、濯ぎ及び水切り等（以下、洗浄消毒工程と称す）を行うことができる。この際、内視鏡は、該内視鏡の外表面のみならず、内視鏡が内部に有する既知の送気送水管路、処置具挿通管路等の内視鏡管路内も洗浄消毒される。尚、洗浄消毒装置は、内視鏡のみならず、他の医療器具の洗浄消毒も行うことができる。以下、洗浄消毒装置によって洗浄消毒されるものを、被洗浄消毒物と称す。
【０００５】
また、装置本体に、識別情報読み取り部（以下、単に読み取り部と称す）を設け、読み取り部に対し、例えばＲＦＩＤから構成されたＩＤタグが、ユーザによって近付けられることにより、装置本体が具備する制御部のメモリにユーザに関する識別情報（以下、ユーザＩＤと称す）や内視鏡に関する識別情報（以下、スコープＩＤと称す）を登録することにより、どのユーザがどの内視鏡を洗浄消毒したかの履歴を管理することができる機能を有する洗浄消毒装置も周知であり、例えば特許文献１に開示されている。
【０００６】
特許文献１には、ＩＤタグから読み取ったユーザＩＤを用いて、実行した洗浄消毒情報、例えば洗浄時間、消毒時間、実施完了日等の情報を、内視鏡情報とユーザ情報とに関連付けて、制御部のメモリに記憶することにより、どのユーザがどの内視鏡を洗浄消毒したかの履歴管理を行うことができる洗浄消毒装置が開示されている。
【特許文献１】特開２００６−２３０４９１号公報
【発明の開示】
【発明が解決しようとする課題】
【０００７】
ところで、通常、洗浄消毒装置を用いて被洗浄消毒物の洗浄消毒を行う際、ユーザは、装置本体に設けられた、例えば表示機能付きのタッチパネル（以下、単に操作パネルと称す）を操作して、洗浄消毒工程プログラムの設定を行ったり、洗浄消毒工程のスタート指示を入力したり、操作パネルに表示された各種表示メニューの切り換え入力を行ったりする。
【０００８】
また、洗浄消毒装置を用いて被洗浄消毒物の洗浄消毒を行う際、ユーザは、該ユーザの手に被洗浄消毒物の汚れが付着するのを防止するため、手袋を付けた状態で被洗浄消毒物を装置本体の洗浄消毒槽へ収容する作業を行うが、手袋をしたまま、上述した操作パネルの各種操作入力を行うと、操作パネルに手袋の汚れが付着してしまうことから、衛生上好ましくない。
【０００９】
よって、通常、操作パネルの各種操作入力を行う際は、即ち、洗浄消毒装置が各種動作を行うよう入力指示を行う際は、ユーザは、手袋を外してから行わなければならず、大変煩雑であるといった問題があった。
【００１０】
このような問題に鑑み、特許文献１に開示された洗浄消毒装置においては、ＩＤタグからユーザＩＤを読み取った後、装置本体に対し蓋体であるトップカバーが閉じられていれば、操作パネルの操作入力を行わなくとも、自動的に洗浄消毒工程を開始させる構成が開示されてはいる。
【００１１】
しかしながら、洗浄消毒工程プログラムの設定や、操作パネルに表示された各種表示メニューの切り換え等は、矢張り操作パネルを用いて直接操作入力しなければならないといった問題があり、その都度手袋を外す必要があった。
【００１２】
また、操作パネルの操作に限らず、その他の洗浄消毒装置に対する各種動作指示、例えば装置本体に対するトップカバーの開成指示等も直接操作なしに容易に行える構成が望まれていた。
【００１３】
本発明の目的は、上記事情に鑑みてなされたものであり、洗浄消毒装置に対し、容易に洗浄消毒装置の各種動作指示を行うことができる構成を提供することにある。
【課題を解決するための手段】
【００１４】
上記目的を達成するために本発明の一態様による内視鏡洗浄消毒装置は、被洗浄消毒物を洗浄消毒する装置本体を具備する内視鏡洗浄消毒装置であって、前記装置本体に設けられた、前記被洗浄消毒物が収容される洗浄消毒槽と、前記洗浄消毒槽の収容口を開閉自在な蓋体と、前記装置本体に設けられた、近付けられた第１の識別タグからユーザに関する第１の識別情報を読み取る第１の読み取り部と、前記装置本体に設けられた、前記洗浄消毒槽に収容された前記被洗浄消毒物の第２の識別タグから前記被洗浄消毒物に関する第２の識別情報を読み取る第２の読み取り部と、前記装置本体には、操作パネルと、前記装置本体に設けられた、前記第１の読み取り部が前記第１の識別情報を読み取った際、前記装置本体の動作状態と、前記蓋体の開閉状態と、前記第２の識別情報の読み取り状態とにおける少なくとも１つの状態に応じて、自動的に前記装置本体の動作と、前記蓋体の開閉とのいずれかの動作を制御する制御部と、を具備し、前記制御部は、前記第１の読み取り部が前記第１の識別情報を読み取った際、前記操作パネルの表示切換の動作制御を行い、前記動作制御は、前記装置本体が前記第１の識別タグを読み取るスタンバイ状態で、前記蓋体が開成されているとともに、前記第２の読み取り部が前記第２の識別タグを読み取るスタンバイ状態において行われ、さらに、前記制御部は、前記第１の読み取り部が前記第１の識別情報を読み取るとともに前記蓋体が閉成されている際、前記蓋体を自動的に開成させる開成動作制御を行う。
【発明の効果】
【００１５】
本発明によれば、洗浄消毒装置に対し、容易に洗浄消毒装置の各種動作指示を行うことができる構成を提供することができる。
【発明を実施するための最良の形態】
【００１６】
以下、図面を参照して本発明の実施の形態を説明する。尚、以下に示す実施の形態において、被洗浄消毒物は、内視鏡を例に挙げて説明する。
【００１７】
図１は、本実施の形態を示す洗浄消毒装置を洗浄消毒槽に内視鏡が収容されている状態で示す斜視図、図２は、図１の操作パネルの表示切換例を示す図である。
【００１８】
図１に示すように、洗浄消毒装置１は、装置本体２と、この装置本体２の上面に開閉自在なことにより、装置本体２が具備する洗浄消毒槽６の被洗浄消毒物の収容口６ｓを開閉自在な蓋体であるトップカバー３とにより主要部が構成されている。尚、装置本体２に対しトップカバー３が閉成されると、装置本体２とトップカバー３とは、後述する制御部１００の制御により、電気的にロックされるようになっている。
【００１９】
装置本体２の外表面には、図２の（ａ）に示すようなメイン画面の表示や、図２の（ｂ）〜（ｄ）に示すようなサブ画面の表示や、図２の（ｅ）に示すようなメンテナンス画面の表示等を行える、例えば表示機能付きのタッチパネルから構成された操作パネル４が配設されている。尚、操作パネル４は、トップカバー３に設けられていても構わない。
【００２０】
具体的には、図２（ａ）に示すメイン画面では、例えば後述する薬液が何回使用されているか等の消耗品情報の表示や、後述するスコープＩＤの表示、洗浄消毒槽６に収容された内視鏡１０の漏水検知の実施有無の表示や、スタート指示釦の表示、各種工程内容の表示、洗浄消毒工程開始後の経過時間の表示、洗浄消毒工程後、内視鏡管路内の乾燥を促進させるアルコール注入の実施有無を指示するアルコールフラッシュ（ＡＦ）釦の表示等が行われる。
【００２１】
また、図２（ｂ）に示すサブ画面Ｉでは、例えば洗浄消毒装置１を用いて濯ぎ工程のみを実施する場合に操作する用のサブ工程画面の表示等が行われる。さらに、図２（ｃ）に示すサブ画面ＩＩでは、ユーザが洗浄工程のプログラムを手動設定できる画面の表示等が行われ、また、図２（ｄ）に示すサブ画面ＩＩＩでは、洗浄消毒装置１の故障履歴を表示したり、何回使用されたかを表示したりする等、装置履歴情報の表示等が行われる。
【００２２】
尚、図２（ａ）のメイン画面と図２（ｂ）のサブ画面Ｉとの切り換え、図２（ｂ）のサブ画面Ｉと図２（ｃ）のサブ画面ＩＩとの切り換え、図２（ｃ）のサブ画面ＩＩと図２（ｄ）のサブ画面ＩＩＩとの切り換え、図２（ｄ）のサブ画面ＩＩＩと図２（ａ）のメイン画面との切り換えは、後述する各条件において、後述するアンテナ７に後述するＩＤカード２０が近付けられる毎に行われる。
【００２３】
さらに、図２（ｅ）に示すメンテナンス画面では、修理者が、洗浄消毒装置１の検査、修理を行う際に操作する用のメンテナンスモードの表示が行われる。
【００２４】
また、装置本体２の操作パネル４が設けられた外表面には、ユーザによって近付けられた、例えばＲＦＩＤから構成された第１の識別タグであるＩＤカード２０内のユーザに関する第１の識別情報（以下、ユーザＩＤからと称す）を受信して読み取る第１の読み取り部であるアンテナ７が設けられている。尚、アンテナ７も、装置本体２の他の外表面の部位に設けられていても構わないし、トップカバー３に設けられていても構わない。
【００２５】
また、アンテナ７は、修理者が有する第１の識別タグである図示しない近付けられたメンテナンスカードを読み取る機能も有している。アンテナ７がメンテナンスカードを読み取った際、後述する制御部１００は、操作パネル４の画面を、図２（ａ）に示すメイン画面から、図２（ｅ）に示すメンテナンス画面へと切り換える制御を行う。
【００２６】
装置本体２の上部に、水道栓から延出されたホースが接続される図示しない給水口が設けられている。このことにより、洗浄消毒槽６には、濯ぎ水として利用される他、洗浄液及び消毒液を希釈するための水道水が、ホース及び給水口を介して水道栓から供給されるようになっている。
【００２７】
装置本体２の上面部には、洗浄消毒槽６が形成されている。洗浄消毒槽６には、内視鏡１０の挿入部１０ｓが巻回されて収容自在であるとともに、操作部１０ｔが収容自在となっている。
【００２８】
尚、内視鏡１０の外表面、例えば底面に、図１に示すように、例えば、ＲＦＩＤから構成された第２の識別タグであるＩＤタグ５０が設けられている。ＩＤタグ５０内には、内視鏡１０に関する第２の識別情報（以下、スコープＩＤと称す）が入力されている。
【００２９】
また、図１に示すように、洗浄消毒槽６に、該洗浄消毒槽６内に、洗浄液、消毒液、濯ぎ水等の液体を供給する用の供給ノズル９が設けられている。供給ノズル９から、洗浄消毒槽６内に、水流を伴った液体が供給されることにより、洗浄消毒槽６内に収容された被洗浄消毒物の外表面は洗浄消毒される。
【００３０】
さらに、洗浄消毒槽６に、該洗浄消毒槽６に収容された内視鏡１０の内部に具備された図示しない処置具挿通用管路等の内視鏡管路内を洗浄消毒するため、上述した液体を、内視鏡管路内に供給する図示しない液体供給部材や、処置具挿通用管路内を擦り洗いするため、処置具挿通用管路内に洗浄ブラシを自動的に挿抜する図示しないブラシカセット等が設けられている。
【００３１】
また、図１に示すように、装置本体２において、洗浄消毒槽６の底部近傍に、第２の読み取り部であるアンテナ５が設けられている。アンテナ５は、洗浄消毒槽６に内視鏡１０が収容された際、内視鏡１０に設けられたＩＤタグ５０から、内視鏡固有のスコープＩＤを読み取るものである。
【００３２】
さらに、装置本体２内に、洗浄消毒槽６へ液体等を循環させる、電磁弁、逆止弁等が介装された管路網、ポンプ、及びコンプレッサ（いずれも図示されず）等が配設されている。
【００３３】
また、装置本体２内には、上述した電磁弁、ポンプ、コンプレッサ等の電気部品を各種工程のプログラミングに従って駆動停止させる制御部１００も配設されている。尚、洗浄液、消毒液は、装置本体２に配設された図示しない各種タンク内に貯留されている。
【００３４】
また、制御部１００は、アンテナ７がユーザＩＤを読み取った際、装置本体２の動作状態と、トップカバー３の開閉状態と、アンテナ５によるスコープＩＤの読み取り状態とにおける少なくとも１つの状態に応じて、自動的に装置本体２の動作と、トップカバー３の開閉とのいずれかの動作を制御する。
【００３５】
具体的には、制御部１００は、アンテナ７がユーザＩＤを読み取った際、上述した、図２（ａ）〜図２（ｄ）または図２（ａ）と図２（ｅ）に示すような操作パネル４の表示切換の動作制御を行う。
【００３６】
例えば、装置本体２がユーザＩＤを読み取るスタンバイ状態で、トップカバー３が開成されているとともに、アンテナ５がＩＤタグ５０からスコープＩＤを読み取るスタンバイ状態において、即ち、後述する図４のモードＡにおいて、アンテナ７がＩＤカード２０からユーザＩＤを読み取った際、ＩＤカード２０からユーザＩＤを読み取る毎に、制御部１００は、上述した、図２（ａ）〜図２（ｄ）または図２（ａ）と図２（ｅ）に示すような操作パネル４の表示切換の動作制御を行う。
【００３７】
また、制御部１００は、アンテナ７がＩＤカード２０からユーザＩＤを読み取るとともにトップカバー３が閉成されている際、トップカバー３の電気ロックを解除して、トップカバー３を自動的に開成させる開成動作制御を行う。
【００３８】
例えば、装置本体２が洗浄消毒工程を完了した工程完了状態で、トップカバー３が閉成されているとともに、アンテナ５がＩＤタグ５０からスコープＩＤを読み取り済みの状態において、即ち、後述する図４のモードＢにおいて、アンテナ７がＩＤカード２０からユーザＩＤを読み取った際、制御部１００は、トップカバー３を自動的に開成させる開成動作制御を行う。
【００３９】
さらに、制御部１００は、アンテナ７がＩＤカード２０からユーザＩＤを読み取った際、ユーザＩＤ毎に洗浄消毒プログラムを設定することと、洗浄消毒工程を自動的に実行することとの少なくとも一方の動作制御を行う。
【００４０】
例えば、装置本体２がスタンバイ状態で、トップカバー３が閉成されているとともに、アンテナ５がＩＤタグ５０からスコープＩＤを読み取り済みの状態において、即ち、後述する図４のモードＣにおいて、アンテナ７がＩＤカード２０からユーザＩＤを読み取った際、制御部１００は、ユーザＩＤ毎に洗浄消毒プログラムを設定することと、洗浄消毒工程を自動的に実行することとの少なくとも一方の動作制御を行う。尚、ユーザＩＤ毎の洗浄消毒工程のプログラム設定とは、例えば、洗浄液の加温を行うか否かの設定等である。
【００４１】
また、制御部１００は、装置本体２が操作パネル４の表示照明を消灯する省電力モードの際、即ち、後述する図４のモードＤにおいて、アンテナ７がＩＤカード２０からユーザＩＤを読み取った際、装置本体２を、省電力モードからスタンバイ状態に切り換える動作制御を行う。
【００４２】
さらに、制御部１００は、装置本体２がスタンバイ状態において、設定時間以上スタンバイ状態の際、即ち、後述する図４のモードＥにおいて、装置本体２を、スタンバイ状態から省電力モードに切り換える動作制御を行う。
【００４３】
また、制御部１００は、装置本体２がスタンバイ状態で、トップカバー３が閉成されているとともに、アンテナ５がスコープＩＤを読み取るスタンバイ状態において、即ち、後述する図４のモードＦにおいて、アンテナ７がＩＤカード２０からユーザＩＤを読み取った際、操作パネル４に、洗浄消毒槽６に内視鏡１０が収容されていない旨の警告動作制御であるエラー表示を行う。
【００４４】
尚、その他の洗浄消毒装置１の構成は、周知であるため、その説明は省略する。
【００４５】
次に、このように構成された本実施の形態の作用について、上述した図１、図２及び図３、図４を用いて説明する。図３は、図１のアンテナがユーザＩＤを読み取った際の制御部の制御動作を示すフローチャート、図４は、装置本体動作状態、トップカバー開閉状態、スコープＩＤ読み取り状態に応じた制御部の制御動作を示す図表である。
【００４６】
尚、以下に示す作用は、アンテナ７がＩＤカード２０からユーザＩＤを読み取った際の制御部１００の制御動作を示す作用について説明する。よって、その他の洗浄消毒装置１の作用は周知であるため、その説明は省略する。
【００４７】
図３に示すように、先ず、洗浄消毒装置の電源が投入されると、ステップＳ１において、装置本体２は、アンテナ７を介してＩＤカード２０からユーザＩＤを読み取るスタンバイ状態となる。その後、ステップＳ２において、制御部１００は、アンテナ７を介したＩＤカード２０からのユーザＩＤ読み取り待機状態となる。
【００４８】
次いで、ステップＳ３において、制御部１００は、装置本体２のスタンバイ状態が、所定時間を経過したか否かを判定する。所定時間を経過しておれば、制御部１００は、装置本体２が設定時間以上のスタンバイ状態で、アンテナ５がＩＤタグ５０からスコープＩＤを読み取るスタンバイ状態の図４のモードＥに一致すると判定して、ステップＳ４に分岐し、制御部１００は、装置本体２をスタンバイ状態から省電力モードに切り換える動作制御を行う。
【００４９】
その後、ステップＳ５において、制御部１００は、再度、アンテナ７を介したＩＤカード２０からのユーザＩＤ読み取り待機状態となる。その後、ステップＳ６において、制御部１００は、アンテナ７によって、ＩＤカード２０からユーザＩＤが読み取られるまで、ユーザＩＤの読み取り待機状態を継続する。
【００５０】
ステップＳ６において、アンテナ７により、ＩＤカード２０からユーザＩＤの読み取りが行われたら、ステップＳ１に戻り、制御部１００は、図４のモードＤに一致すると判定して、装置本体２を省電力モードからスタンバイモードに切り換える動作制御を行う。
【００５１】
ステップＳ３に戻って、制御部１００は、装置本体２のスタンバイ状態が所定時間経過していないと判定したら、ステップＳ７に移行し、トップカバー３が装置本体２に閉成されているか否かを判定する。
【００５２】
トップカバー３が装置本体２に閉成されていなければ、即ち、トップカバー３が空いておれば、制御部１００は、装置本体２がスタンバイ状態で、トップカバー３が開成されているとともに、スコープＩＤの読み取りがスタンバイ状態の図４のモードＡに一致すると判定して、ステップＳ８に分岐し、上述した操作パネル４のパネル表示切換モードとなり、制御部１００は、操作パネル４の切り換え動作制御を行う。
【００５３】
具体的には、上述したように、パネル表示切換モードでは、アンテナ７にＩＤカード２０が近付けられる毎に、制御部１００は、図２（ａ）のメイン画面と図２（ｂ）のサブ画面Ｉとの切り換え、図２（ｂ）のサブ画面Ｉと図２（ｃ）のサブ画面ＩＩとの切り換え、図２（ｃ）のサブ画面ＩＩと図２（ｄ）のサブ画面ＩＩＩとの切り換え、図２（ｄ）のサブ画面ＩＩＩと図２（ａ）のメイン画面との切り換えの動作制御を行う。または、アンテナ７にメンテナンスカードが近付けられる毎に、制御部１００は、図２（ａ）のメイン画面と図２（ｅ）のメンテナンス画面との切り換え動作制御を行う。
【００５４】
その後、操作パネル４において、ユーザによって選択された画面から所定の操作がなされた後、ステップＳ７に戻る。
【００５５】
ステップＳ７において、トップカバー３が装置本体２に閉成されておれば、ステップＳ９に移行し、制御部１００は、アンテナ５によってＩＤタグ５０からスコープＩＤが読み込み済みであるか否かを判定する。即ち、洗浄消毒槽６に、内視鏡１０が収容されているか否かを判定する。
【００５６】
スコープＩＤが読み込み済みでなければ、ステップＳ１０に分岐し、さらに、制御部１００は、アンテナ７によって、ＩＤカード２０からユーザＩＤの読み取りが行われるまで待機状態となる。
【００５７】
ステップＳ１０において、アンテナ７によって、ＩＤカード２０からユーザＩＤが読み取られたら、制御部１００は、装置本体２がスタンバイ状態で、トップカバー３が閉成されており、スコープＩＤの読み取りがスタンバイ状態の図４のモードＦに一致すると判定して、ステップＳ１１に移行し、例えば操作パネル４に、洗浄消毒槽６に内視鏡１０が収容されていないことから、洗浄消毒工程が始められない旨のエラー表示を行う。
【００５８】
ステップＳ１０において、ユーザＩＤが読み取られていなければ、制御部１００は、装置本体２が、トップカバー３が閉成した状態で、スタンバイ状態を設定時間内において継続していると判断して、ステップＳ１に戻る。
【００５９】
ステップＳ９に戻って、アンテナ５を介してスコープＩＤが読み込み済みであれば、ステップＳ１２に移行し、制御部１００は、該制御部１００の図示しないメモリに、スコープＩＤを記憶した後、アンテナ７によって、ユーザＩＤが読み取られるまで待機する。
【００６０】
ステップＳ１２において、ユーザＩＤの読み取りが行われれば、ステップＳ１３に移行し、制御部１００は、装置本体２がスタンバイ状態で、トップカバー３が閉成され、スコープＩＤが読み取り済みの図４のモードＣに一致すると判定して、制御部１００は、ユーザＩＤ毎に洗浄消毒プログラムの設定をする動作制御を行う。例えば、制御部１００は、洗浄液の加温を行うか否か等のユーザ毎の洗浄消毒プログラムの設定を行う。また、この際、ユーザＩＤを、制御部１００の図示しないメモリに記憶する。
【００６１】
次いで、ステップＳ１４において、制御部１００は、アンテナ７によって、ユーザＩＤが読み取られるまで待機する。
【００６２】
ステップＳ１４において、ユーザＩＤの読み取りが行われれば、ステップＳ１５に移行し、制御部１００は、洗浄消毒プログラムが設定された後、装置本体２がスタンバイ状態で、トップカバー３が閉成され、スコープＩＤが読み取り済みの図４のモードＣに一致したと判定して、制御部１００は、洗浄消毒工程を自動的に実行する動作制御を行うことにより、洗浄消毒工程がスタートされる。その結果、洗浄消毒槽６に収容された内視鏡１０の外表面及び内視鏡管路は洗浄消毒される。
【００６３】
次いで、ステップＳ１６において、洗浄消毒工程が終了した後、続くステップＳ１７において、制御部１００は、アンテナ７を介したＩＤカード２０からのユーザＩＤ読み取り待機状態となる。次いで、ステップＳ１８において、制御部１００は、アンテナ７によって、ユーザＩＤが読み取られるまで、ユーザＩＤ読み取り待機状態を継続する。
【００６４】
ステップＳ１８において、アンテナ７によって、ＩＤカード２０からユーザＩＤの読み取りが行われれば、制御部１００は、装置本体２が洗浄消毒工程完了状態であり、トップカバーが閉成されているとともに、スコープＩＤが読み取り済みの図４のモードＢに一致すると判定して、ステップＳ１９において、装置本体２とトップカバー３との電気ロックを解除して、装置本体２に対して、トップカバー３を自動的に開成する動作制御を行う。このことにより、ユーザは、洗浄消毒槽６から、洗浄消毒済みの内視鏡１０を容易に取り出すことができる。
【００６５】
その後、制御部１００は、ステップＳ１における装置本体２のスタンバイ状態へと切り換える。
【００６６】
このように、本実施の形態においては、制御部１００は、アンテナ７がＩＤカード２０からユーザＩＤを読み取った際、装置本体２の動作状態と、トップカバー３の開閉状態と、アンテナ５によるＩＤタグ５０からのスコープＩＤの読み取り状態とにおける少なくとも１つの状態に応じて、自動的に装置本体２の動作と、トップカバー３の開閉とのいずれかの動作を制御すると示した。
【００６７】
このことによれば、ユーザは、アンテナ７にＩＤカード２０を近付けるだけで、操作パネル４の表示切換、トップカバー３の開成、洗浄消毒プログラムの設定、洗浄消毒工程の自動スタート、装置本体２の省電力モードからスタンバイ状態への切り換え、洗浄消毒槽６に内視鏡１０が収容されていない旨のエラー表示を行うことができる。
【００６８】
よって、ユーザが、洗浄消毒工程をスタートさせる場合や、操作パネル４の表示を切り換える度に、ユーザは、操作パネル４のスイッチ操作入力を行わなくて良くなることから、操作の簡易化を図ることができるとともに、操作パネル４のスイッチ操作の回数も減ることから、スイッチの耐久性を向上させることができる。
【００６９】
以上から、洗浄消毒装置１に対し、容易に洗浄消毒装置１の各種動作指示を行うことができる構成を提供することができる。
【００７０】
尚、以下、変形例を示す。本実施の形態においては、被洗浄消毒物は、内視鏡１０を例に挙げて示したが、これに限らず、洗浄消毒装置１で洗浄消毒できるものであれば、他のものであっても良いことは勿論である。
【００７１】
また、本実施の形態においては、アンテナ７にＩＤカード２０を近付けるだけで、操作パネル４の表示切換、トップカバー３の開成、洗浄消毒プログラムの設定、洗浄消毒工程の自動スタート、装置本体２の省電力モードからスタンバイ状態への切り換え、洗浄消毒槽６に内視鏡１０が収容されていない旨のエラー表示の動作制御を、制御部１００は行うと示したが、これに限らず、その他の洗浄消毒装置１における動作制御を、アンテナ７にＩＤカード２０が近付けられた際、制御部１００は行っても構わない。
【００７２】
さらに、本実施の形態においては、装置本体２がスタンバイ状態で、トップカバー３が閉成され、スコープＩＤが読み取り済みの図４のモードＣにおいて、制御部１００は、ユーザＩＤ毎に洗浄消毒プラグラムを設定することと、洗浄消毒工程の自動スタートとの少なくとも一方の動作制御を行うと示したが、ユーザＩＤ毎に洗浄消毒プログラムの設定機能を有さない洗浄消毒装置１においては、洗浄消毒工程の自動スタートのみの動作制御を制御部１００は行っても良いということは勿論である。
【００７３】
また、図４のモードＣにおいて、アンテナ７を介してスコープＩＤが読み取られた際、１回の読み取りで、ユーザＩＤ毎に洗浄消毒プラグラムを設定することと、洗浄消毒工程の自動スタートとの双方を行っても構わない。
【００７４】
また、本実施の形態においては、ＩＤタグ５０またはＩＤカード２０は、ＲＦＩＤを例に挙げて示したが、これに限らず、被洗浄消毒物の識別情報を読み取れるものであれば、何でも良いことは勿論である。
【００７５】
また、本発明は以上述べた実施形態のみに限定されるものでなく、発明の要旨を脱しない範囲で種々変形可能である。
【図面の簡単な説明】
【００７６】
【図１】本実施の形態を示す洗浄消毒装置を洗浄消毒槽に内視鏡が収容されている状態で示す斜視図。
【図２】図１の操作パネルの表示切換例を示す図。
【図３】図１のアンテナがユーザＩＤを読み取った際の制御部の制御動作を示すフローチャート。
【図４】装置本体動作状態、トップカバー開閉状態、スコープＩＤ読み取り状態に応じた制御部の制御動作を示す図表。
【符号の説明】
【００７７】
１…洗浄消毒装置（内視鏡洗浄消毒装置）
２…装置本体
３…トップカバー（蓋体）
４…操作パネル
５…アンテナ（第２の読み取り部）
６…洗浄消毒槽
６ｓ…収容口
７…アンテナ（第１の読み取り部）
１０…内視鏡（被洗浄消毒物）
２０…ＩＤカード（第１の識別タグ）
５０…ＩＤタグ（第２の識別タグ）
１００…制御部
【図１】
0005259165.tif 000002
【図２】
0005259165.tif 000003
【図３】
0005259165.tif 000004
【図４】
0005259165.tif 000005